(57)【要約】【課題】本発明は、段ボール、粘着テープ等を切断する作業に使用するカッターナイフに関するものである。【解決手段】カッターブレードを把手を構成するホルダー内に進退可能に収容し、該カッターブレードの前進にて同ブレードの先端をホルダーの前端から突き出させる構成のカッターナイフにおいて、前記ホルダー前端のカッターブレードの刃の移動軌跡上にフリー回転可にガイドローラーを設け、このガイドローラーの円周面に環状溝を形成し、該環状溝内において前記カッターブレードの刃を進退せしめ、上記ガイドローラーを被切断物の表面に着接し回転しながら、上記ホルダー前端から突出せるカッターブレードの刃先端で被切断物を引き切る構成としたことを特徴とするカッターナイフ。【選択図】  図  ２
2007037956.tif 000002
【特許請求の範囲】
【請求項１】
カッターブレードを把手を構成するホルダー内に進退可能に収容し、該カッターブレードの前進にて同ブレードの先端をホルダーの前端から突き出させる構成のカッターナイフにおいて、前記ホルダー前端のカッターブレードの刃の移動軌跡上にフリー回転可にガイドローラーを設け、このガイドローラーの円周面に環状溝を形成し、該環状溝内において前記カッターブレードの刃を進退せしめ、上記ガイドローラーを被切断物の表面に着接し回転しながら、上記ホルダー前端から突き出せるカッターブレードの刃先端で被切断物を引き切る構成としたことを特徴とするカッターナイフ。
【請求項２】
上記ガイドローラー後側に接して、カッターブレードの刃が露出する粘着テープ導入用開口を設け、粘着テープを該開口内に導入し、上記露出刃で切断する構成としたことを特徴とする請求項１記載のカッターナイフ。
【請求項３】
上記ガイドローラーを前後に二個並設し、両ガイドローラー間に上記粘着テープ導入用開口を形成したことを特徴とする請求項１記載のカッターナイフ。
【発明の詳細な説明】
【技術分野】
【０００１】本発明は、段ボール、粘着テープ等を切断する作業に使用するカッターナイフに関するものである。
【背景技術】
【０００２】従来、この種のカッターナイフは、図１に示すように、カッターブレード１を把手を兼ねるホルダー２内に進退可に収容し、実用例ではホルダー２内にブレードガイド５を一体に仕込み、該ブレードガイド５内にカッターブレード１を進退可に仕込み、カッターブレード１基端に設けた摘子４をホルダー２及びガイド５の側面に開設した長手方向に亘るガイド溝３を通し外方へ突出し該摘子４を手指で操作することにより上記カッターブレード１の先端をホルダー２及びガイド５の先端から所要量前方へ突出させ、使用者がカッターホルダー２を把持してカッターブレード１の刃先端１ａを被切断物の切断個所に突き差しながらカッターブレード１を移動することにより被切断物を引き切るように用いられているが、段ボール箱等をカッターブレード１の刃先端１ａで押し切り開封する際に、押圧力の強弱によってはカッターナイフの刃先端１ａが深く入り過ぎ梱包品を損傷することがある。また、カッターブレードの刃先端１ａが被切断物の厚みによる抵抗で蛇行してしまう事態を生じ易く、時には手や足を誤って切ってしまう事もある。更に従来のカッターナイフでは切り込み深さが安定せず一定の切り込み深さで直線に引き切るのは至難のわざである。
【特許文献１】――１５６０６０
特許文献１には、カッター刃の刃先を被切断物に突き入れて、左右一対の回転ローラーを被切断物の面上で走行移動しながら引き切る構成が示されている。上記ローラーは、３ａ、３ｂで示される２個一対のローラーであり、それぞれを自由回転とし、両ローラーをブレードの左右側方に離間して配し、案内する構成である。そして上記二個のローラーを、直線定規の二条の並行ガイド内を走行させることによって、カッターナイフの直線引切りを案内せんとするものであるが、定規なしで使用する場合、カッターナイフの左右側方に離間してローラーが配置されているため、片方のローラーが被切断物の端稜から外れてしまったり、又力のかけ具合で左右ローラーに回転差が生じ蛇行してしまい、直線案内機能を喪失する問題を有している。又左右一対のローラーが左右側方に離間して配置されているためカッターの巾を増大し、収納、携行する時に邪魔になるばかりか、引き切り作業時に他物体と干沙する問題を有している。
【発明の開示】
【発明が解決しようとする課題】
【０００３】本発明は、このような従来の構成が有していた問題を抜本的に解決しようとするものであり、一定の切り込み深さで直線切りする作業が容易で安定した操作を目的とするものである。
【課題を解決するための手段】
【０００４】本発明に係るカッターナイフは、カッターブレードを把手を構成するホルダー内に進退可能に収容し、該カッターブレードの前進にて同ブレードの先端をホルダーの前端から突出させる構成のカッターナイフにおいて、前記ホルダーの前端のカッターブレードの刃の移動軌跡上にフリー回転可にガイドローラーを設け、このガイドローラーの円周面に環状溝を形成し、該環状溝内において前記のカッターブレードの刃を進退せしめ、上記ガイドローラーを被切断物の表面に着接し回転しながら、上記ホルダー前端から突出せるカッターブレードの先端で被切断物を引き切る構成を有する。
【発明の効果】
【０００５】上記ローラーを被切断物の表面に着接して回転しながら、上記ホルダー前端より突出せるカッターブレードの刃先端で被切断物を引き切る構成により一定の切り込み深さで直線切りする作業が容易で安定したナイフ操作と切断効果が享受できる。
【発明を実施するための最良の形態】
【０００６】本発明に係るカッターナイフの実施形態を図２乃至図８に基づいて詳述する。
図２はカッターナイフを示す。同図において、カッターブレード１を把手を兼ねるホルダー２内に進退可に収容し、実用例ではホルダー２内にブレードガイド５を一体に仕込み、該ブレードガイド５内にカッターブレード１を進退可に仕込む。
カッターブレード１基端に設けた摘子４をホルダー２及びガイド５の側面に開設した長手方向に亘るガイド溝３を通し外方へ突出し、該摘子４を手指で操作することにより上記カッターブレード１の先端をホルダー２及びガイド５の先端から所要量前方へ突出させる。使用者は図４に示すように、ホルダー２を把持してカッターブレードの刃先端１ａを被切断物９の切断個所に突き差しながらカッターブレード１を移動することにより被切断物９を引き切るように用いられている。【０００７】図２に示すように、ホルダー前端のカッターブレードの刃の移動軌跡上にフリー回転する単一のガイドローラー６を軸１２を介して設け、図３、図８に示すように、ガイドローラー６の円周面に環状溝７を形成し、この環状溝７内にカッターブレード１の刃を進退せしめ、該ローラー６は被切断物９の表面８に接して接地抵抗により回転する。図８に示すように、ガイドローラー６単体の円周面に環状溝７を樹脂成形により設ける。この溝はカッターブレード１を案内し、ブレードは溝内側面に接触しながらローラーが回転し切断が容易にできる。図４に示すように、被切断物９にカッターブレード１の刃先端１ａを切り込む。上記ローラーを被切断物９の表面に接して回転しながら、上記ホルダー前端より突出せるカッターブレードの刃先端１ａで被切断物９を引き切る。【０００８】他例として図５、図６、図７に示すように、ホルダー２の先端部のブレードの刃の移動軌跡上に前部ガイドローラー６と後部ガイドローラー６ａ二個を軸１２・１２ａを介して前後に併設し、両ローラー６・６ａの各々の円周に前記環状溝７を設け、この各環状溝内においてブレード１を進退せしめる。又両ローラー６・６ａ間に該ローラーと接する前記粘着テープ導入用開口１０を設ける。具体的には、ホルダー２内に仕込まれたガイド５の先端部をホルダー２の先端部より前方へ突出し、該ブレードガイド５先端部に短手巾方向に延びる粘着テープ導入開口１０を開設し、刃先１ｂで開放せしめる。【０００９】以下動作に付き説明し、構成をより明らかにする。
図２に示すように、ホルダー２を把持し、摘子４によりカッターブレード１を前方へ押し出し、該カッターブレード１の先端を適当な長さに突き出し、摘子４を回転してブレード１をホルダー２、即ちガイド５に締結し、刃先端１ａの突出状態を固定する。【００１０】図４に示すように、被切断物９に向ってカッター刃先端１ａを突き差し、ガイドローラー６が被切断物表面８に着接する迄押圧し、安定した姿勢を保持しながら手前に引っ張り移動することにより安全に切断する事ができる。又、粘着テープをテープロールから巻き出しつつ、対象物に貼付した後、図２、図６に示すように、該テープ１１の終端を上記開口１０内へ導入し、該開口１０で待機するブレードの刃１ａにより切断する。粘着テープ１１を開口１０内に差し入れる時、上記ローラー６の円周が該テープ１１に接して支持しつつ回転し、テープ導入を案内すると共に、切断時におけるテープの姿勢を保持する。【００１１】又、図５乃至図７に示すように、ガイドローラー６・６ａを二個併設した場合、このガイドローラー６・６ａ間に形成した開口１０より導入した粘着テープ１１をガイドローラー６・６ａの中心を結ぶ線に対し略垂直となる姿勢でガイドローラー６・６ａの一方に粘着させ、粘着テープ１１を安定させ、カッター刃先１ｂで切断が安易にできる。図８に示すように、ガイドローラー６単体の円周面に環状溝７を樹脂成形により設ける。この溝は、カッターブレード１を案内し、ブレードは溝側面に接触しながら回転し切断が安全且つ安易にできる。
【図面の簡単な説明】
【００１２】
【図１】  従来のカッターナイフの側面図である。
【図２】  本発明の単一ガイドローラーを設けたカッターナイフの側面図である。
【図３】  上記カッターナイフの正面図である。
【図４】  上記ローラーを設けたカッターナイフの使用状態を示す側面図である。
【図５】  一対のガイドローラーを併設したカッターナイフの実施例を示す側面図である。
【図６】  被切断材導入用開口を用いてテープを切断する状態を示すカッターナイフの要部下面図である。
【図７】  図６の拡大図である。
【図８】  ガイドローラー拡大断面図である。
【符号の説明】
【００１３】    １        カッターブレード
１ａ      カッターブレードの刃先端
１ｂ      カッター刃
２        ホルダー
３        ガイド溝
４        摘子
５        ブレードガイド
６        ガイドローラー
６ａ      後部ガイドローラー
７        環状溝
８        被切断物の表面
９        被切断物
１０      粘着テープ導入用開口
１１      粘着テープ
１２      軸
１２ａ    軸
【図１】
2007037956.tif 000003
【図２】
2007037956.tif 000004
【図３】
2007037956.tif 000005
【図４】
2007037956.tif 000006
【図５】
2007037956.tif 000007
【図６】
2007037956.tif 000008
【図７】
2007037956.tif 000009
【図８】
2007037956.tif 000010